(57)【要約】  受信データの再生を高速に再開することを低コストで実現する。ＯＦＤＭ信号を受信する受信装置であって、復調部と、伝送モード制御部とを有する。前記復調部は、ＦＦＴモードとガードインターバルとの組み合わせである伝送モードに従って、受信信号に対して復調、及び同期の確立の検出を行い、得られた同期の確立の検出結果を示す同期確立信号を出力する。前記伝送モード制御部は、前記同期確立信号が同期の確立を示しているときのＦＦＴモード及びガードインターバルを保持し、保持されたＦＦＴモードとガードインターバルとの組み合わせを前記復調部で用いられる伝送モードとして出力する。
2008126379.tif 000002
【特許請求の範囲】
【請求項１】
ＯＦＤＭ（Orthogonal Frequency Division Multiplexing）信号を受信する受信装置であって、
ＦＦＴ（Fast Fourier Transform）モードとガードインターバルとの組み合わせである伝送モードに従って、受信信号に対して復調、及び同期の確立の検出を行い、得られた同期の確立の検出結果を示す同期確立信号を出力する復調部と、
前記同期確立信号が同期の確立を示しているときのＦＦＴモード及びガードインターバルを保持し、保持されたＦＦＴモードとガードインターバルとの組み合わせを前記復調部で用いられる伝送モードとして出力する伝送モード制御部と
を備えることを特徴とする受信装置。
【請求項２】
請求項１に記載の受信装置において、
前記受信信号と、前記受信信号が所定の時間遅延した信号との間の相関を求め、得られた相関に従って前記受信信号のＦＦＴモード及びガードインターバルを推定する伝送モード推定部を更に備え、
前記伝送モード制御部は、
チャネルの選択又は電源投入後、前記同期確立信号が同期の確立を示すまで、前記伝送モード推定部によって推定されたＦＦＴモードとガードインターバルとの組み合わせを前記復調部で用いられる伝送モードとして出力する
ことを特徴とする受信装置。
【請求項３】
請求項１に記載の受信装置において、
前記受信信号と、前記受信信号が所定の時間遅延した信号との間の相関を求め、得られた相関に従って前記受信信号のＦＦＴモード及びガードインターバルを推定する伝送モード推定部と、
優先的に用いるべきＦＦＴモードとガードインターバルとの組み合わせを出力する優先伝送モード設定部とを更に備え、
前記伝送モード制御部は、
チャネルの選択又は電源投入後、前記優先的に用いるべきＦＦＴモードとガードインターバルとの組み合わせを前記復調部で用いられる伝送モードとして出力し、前記同期確立信号が同期の確立を示すまで、前記伝送モード推定部によって推定されたＦＦＴモードとガードインターバルとの組み合わせと、前記優先的に用いるべきＦＦＴモードとガードインターバルとの組み合わせとを、所定の時間が経過する毎に交互に前記復調部で用いられる伝送モードとして出力する
ことを特徴とする受信装置。
【請求項４】
請求項３に記載の受信装置において、
前記伝送モード制御部は、
前記同期検出結果が同期の確立を一旦示した後に示さなくなった場合には、前記同期確立信号が同期の確立を示すまで、前記伝送モード推定部によって推定されたＦＦＴモードとガードインターバルとの組み合わせと、前記保持されたＦＦＴモードとガードインターバルとの組み合わせとを、所定の時間が経過する毎に交互に前記復調部で用いられる伝送モードとして出力する
ことを特徴とする受信装置。
【請求項５】
請求項１に記載の受信装置において、
前記復調部は、
フレーム同期を前記同期の確立の検出対象とする
ことを特徴とする受信装置。
【請求項６】
請求項１に記載の受信装置において、
前記同期確立信号が同期の確立を示すまで、ＦＦＴモードとガードインターバルとの複数の組み合わせを所定の優先順序に従って格納したテーブルから、前記組み合わせを順次読み出し、読み出された組み合わせを出力する伝送モード推定部を更に備え、
前記伝送モード制御部は、
チャネルの選択又は電源投入後、前記同期確立信号が同期の確立を示すまで、前記伝送モード推定部から出力されたＦＦＴモードとガードインターバルとの組み合わせを前記復調部で用いられる伝送モードとして出力する
ことを特徴とする受信装置。
【請求項７】
ＯＦＤＭ信号を受信する受信方法であって、
ＦＦＴモードとガードインターバルとの組み合わせである伝送モードに従って、受信信号に対して復調、及び同期の確立の検出を行い、得られた同期の確立の検出結果を示す同期確立信号を求める復調ステップと、
前記同期確立信号が同期の確立を示しているときのＦＦＴモード及びガードインターバルを保持し、保持されたＦＦＴモードとガードインターバルとの組み合わせを前記復調ステップで用いられる伝送モードとする伝送モード制御ステップと
を備えることを特徴とする受信方法。
【請求項８】
請求項７に記載の受信方法において、
前記受信信号と、前記受信信号が所定の時間遅延した信号との間の相関を求め、得られた相関に従って前記受信信号のＦＦＴモード及びガードインターバルを推定する伝送モード推定ステップを更に備え、
前記伝送モード制御ステップは、
チャネルの選択又は電源投入後、前記同期確立信号が同期の確立を示すまで、前記伝送モード推定ステップによって推定されたＦＦＴモードとガードインターバルとの組み合わせを前記復調ステップで用いられる伝送モードとする
ことを特徴とする受信方法。
【発明の詳細な説明】
【技術分野】
【０００１】
本発明は、ＯＦＤＭ（直交周波数分割多重：Orthogonal Frequency Division Multiplexing）伝送方式を用いて伝送された信号を受信する受信装置及び受信方法に関する。
【背景技術】
【０００２】
日本及び欧州での地上デジタルテレビジョン放送には、伝送方式としてＯＦＤＭが用いられている。例えば、日本における地上デジタルテレビジョン放送方式では、送信信号の有効シンボル長に対応するモード（ＦＦＴ（Fast Fourier Transform）モード）として、モード１（有効シンボル長：２５２μsec）、モード２（有効シンボル長：５０４μsec）、及びモード３（有効シンボル長：１００８μsec）が規定されている。また、マルチパス妨害の影響を軽減するために送信信号中にガード期間が設けられており、その長さ（ガードインターバル）として有効シンボル長の１／３２、１／１６、１／８、及び１／４が規定されている。送信側では、ＦＦＴモード及びガードインターバルを上記の中から選択可能であり、受信側では、ＦＦＴモード及びガードインターバルを自動的に検出できることが望まれている。【０００３】
ＦＦＴモード及びガードインターバルを自動的に検出できるようにした受信装置の例が、特許文献１及び特許文献２に記載されている。特許文献１に記載の受信装置は、チャネル選択時にＦＦＴモードとガードインターバルとの複数の組み合わせの中から適切な組み合わせを検索する。すなわち、この受信装置は、これらの組み合わせから順次１組を選択し、選択された組み合わせを用いて受信信号のガード期間の部分について相関を求め、得られた相関信号の振幅が所定レベル以上となる場合に、用いられた組み合わせを受信信号のＦＦＴモード及びガードインターバルとして認識して復調処理を行う。【０００４】
また、特許文献２に記載の受信装置は、チャネル毎にモード履歴情報を記憶しておき、この履歴情報を用いて、最後に選択されたチャネルのＦＦＴモード及びガードインターバルであることや、ＦＦＴモード及びガードインターバルの使用頻度に応じて、ＦＦＴモードとガードインターバルとの組み合わせに順位付けを行う。そして、この受信装置は、順位付けされた順に、ＦＦＴモード及びガードインターバルを順次切り替えて、受信信号のＦＦＴモード及びガードインターバルと一致するか否かの判定を行うことにより、受信チャネルを切り替えた際の受信信号のＦＦＴモード及びガードインターバルを推定する。
【特許文献１】特許第２８７９０３４号公報
【特許文献２】特開２００１−１３６１４６号公報
【発明の開示】
【発明が解決しようとする課題】
【０００５】
受信装置がトンネルなどを通過するときには受信信号が一時的に遮断され、トンネルなどを通過後には信号が再び受信される。例えば、特許文献１の受信装置は、自動車に搭載されてトンネルを通過するときなど、受信信号が一時的に遮断されるような状況では、ＦＦＴモード及びガードインターバルの検索動作を開始する可能性がある。この場合、この自動車がトンネルを出て再び信号が受信装置に入力されるようになった時点で選択されているＦＦＴモードとガードインターバルとの組み合わせが、受信信号のＦＦＴモードとガードインターバルとの組み合わせに一致していなければ、受信信号に対して適切な復調処理ができず、一致する組み合わせが選択されるまで復調処理が遅延することになる。これは、自動車がトンネルを出ても受信データの再生の再開が遅延する場合があることを意味している。【０００６】
また、特許文献２の受信装置では、ＦＦＴモードとガードインターバルとの組み合わせ、更にはそれらの履歴情報を、チャネル毎に記憶する必要があり、これを行うためのメモリやその制御が必要となる。これは装置コストの増大や、制御用ソフトウエア等の設計負担の増大の原因となる。【０００７】
本発明は、受信されていた信号が、一時的に遮断された後に再び入力される場合において、受信データの再生を高速に再開することを低コストで実現することを目的とする。
【課題を解決するための手段】
【０００８】
本発明に係る受信装置は、ＯＦＤＭ（Orthogonal Frequency Division Multiplexing）信号を受信する受信装置であって、復調部と、伝送モード制御部とを有する。前記復調部は、ＦＦＴ（Fast Fourier Transform）モードとガードインターバルとの組み合わせである伝送モードに従って、受信信号に対して復調、及び同期の確立の検出を行い、得られた同期の確立の検出結果を示す同期確立信号を出力する。前記伝送モード制御部は、前記同期確立信号が同期の確立を示しているときのＦＦＴモード及びガードインターバルを保持し、保持されたＦＦＴモードとガードインターバルとの組み合わせを前記復調部で用いられる伝送モードとして出力する。【０００９】
これによると、ＦＦＴモード及びガードインターバルを保持して用いるので、受信信号が一時的に遮断された場合に、受信データの再生を高速に再開することができる。
【発明の効果】
【００１０】
本発明によれば、トンネルを通過する場合など、受信信号が一時的に遮断された後、再び入力される場合において、受信データの再生を高速に再開することができる。構成が簡単であるので、低コストで実現することができる。
【図面の簡単な説明】
【００１１】
【図１】図１は、本発明の第１の実施形態に係る受信装置の構成例を示すブロック図である。
【図２】図２は、本発明の第２の実施形態に係る受信装置の構成例を示すブロック図である。
【符号の説明】
【００１２】
４    伝送モード推定部
５，２０５  伝送モード制御部
６    ＯＦＤＭ復調部
１２  優先伝送モード設定部
【発明を実施するための最良の形態】
【００１３】
以下、本発明の実施形態を図面に基づいて詳細に説明する。【００１４】
（第１の実施形態）
図１は、本発明の第１の実施形態に係る受信装置の構成例を示すブロック図である。図１の受信装置は、アンテナ１と、チューナ部２と、直交検波部３と、伝送モード推定部４と、伝送モード制御部５と、ＯＦＤＭ復調部６と、誤り訂正部７と、ソースデコーダ部８と、出力部９とを有している。【００１５】
アンテナ１は、ＲＦ（Radio Frequency）帯のＯＦＤＭ信号を受信し、チューナ部２へ供給する。チューナ部２は、アンテナ１より供給されたＲＦ帯のＯＦＤＭ信号から所望のチャネルのＯＦＤＭ信号を選択及び周波数変換し、得られたＩＦ（Intermediate Frequency）帯のＯＦＤＭ信号を直交検波部３に出力する。直交検波部３は、ＩＦ帯のＯＦＤＭ信号に対して基底帯域への周波数変換を行い、得られたベースバンドのＯＦＤＭ信号を伝送モード推定部４及びＯＦＤＭ復調部６に出力する。【００１６】
ところでＯＦＤＭ信号は、有効シンボル期間の最後の部分の信号が、有効シンボル期間の前にガード期間の信号としてコピーされて伝送されることが一般的である。【００１７】
例えば日本の地上デジタルテレビジョン放送では、ＦＦＴモードとして３つのモード、ガードインターバルとして４つの値が規定されている。これらのＦＦＴモードの１つとこれらのガードインターバルの１つとが組み合わされて用いられる。以下では、ＦＦＴモードとガードインターバルとの組み合わせを、伝送モードとも称する。【００１８】
伝送モード推定部４は、ベースバンドのＯＦＤＭ信号から、所定の信号処理を行ってＦＦＴモード及びガードインターバルを推定し、推定されたＦＦＴモードとガードインターバルとの組み合わせを、仮伝送モードＭＧＴとして伝送モード制御部５に出力する。ＦＦＴモードは、受信されたＯＦＤＭ信号の有効シンボル長に対応している。【００１９】
伝送モード推定部４における伝送モードの推定方法としては、例えば日本国特許第２８６３７４７号公報又は日本国特開２００５−１９８２６６号公報に開示されているような信号処理に基づく方法を採用してもよい。これらの文献には、受信したＯＦＤＭ信号と受信したＯＦＤＭ信号を所定の有効シンボル長分だけ遅延した信号との間の相関値の算出結果に基づいて、受信したＯＦＤＭ信号の伝送モードを推定する技術が開示されている。【００２０】
伝送モード制御部５は、仮伝送モードＭＧＴ及びＯＦＤＭ復調部６から出力される同期確立信号ＬＣＫの値に基づいて、伝送モードＭＧの制御を行う。伝送モード制御部５は、伝送モードＭＧをＯＦＤＭ復調部６及び誤り訂正部７に出力する。【００２１】
ＯＦＤＭ復調部６は、直交検波部３から出力されたベースバンドのＯＦＤＭ信号に対して、伝送モードＭＧに従って、フーリエ変換、同期信号再生、等化などの各種復調処理を行い、その結果を復調信号として誤り訂正部７に出力する。また、ＯＦＤＭ復調部６は、同期の確立を検出し、得られた検出結果を同期の確立状態を示す同期確立信号ＬＣＫとして伝送モード制御部５に出力する。【００２２】
誤り訂正部７は、ＯＦＤＭ復調部６から出力された復調信号に対して、伝送モードＭＧに従って、デマッピング、デインターリーブ、ビタビ復号、リードソロモン復号などの各種誤り訂正処理を行い、その結果をＴＳ（Transport Stream）信号としてソースデコーダ部８に出力する。【００２３】
ソースデコーダ部８は、誤り訂正部７から供給されるＴＳ信号に対して、映像ストリームや音声ストリーム、更にはその他のデータストリームへの分離処理を行い、ストリームがＭＰＥＧなどで圧縮されている場合にはそれらの圧縮方式に対応する伸張処理を行う。ソースデコーダ部８は、得られたストリームを映像信号、音声信号及びその他のデータとして出力部９に出力する。【００２４】
出力部９は、ディスプレイ及びスピーカーを有している。出力部９は、ソースデコーダ部８から出力された映像信号のディスプレイへの表示、音声信号のスピーカーへの出力、及びその他のデータの外部装置への出力、又はこれらのいずれかを行う。【００２５】
以上のように構成された図１の受信装置の主要部の動作について説明する。この受信装置が自動車などに搭載され、この自動車がトンネルを通過する際などには、アンテナで受信する電波（受信信号）が遮断され、受信装置への正常な入力が一時的に中断されるような場合がある。このような状況における受信装置の動作について、（I）受信信号の遮断前、（II）受信信号の遮断中、及び（III）信号が再び受信された状態、の３つの状態に場合分けして説明する。【００２６】
（I）受信信号の遮断前
アンテナ１で信号が受信されている状態でチャネル選択又は電源投入が行われると、チューナ部２、直交検波部３、及び伝送モード推定部４が上述のように動作し、伝送モード推定部４は、仮伝送モードＭＧＴを出力する。【００２７】
伝送モード制御部５は、チャネル選択又は電源投入が行われた後、まだ同期確立に至っていないことを同期信号ＬＣＫが示している場合には、仮伝送モードＭＧＴの値を伝送モードＭＧとしてＯＦＤＭ復調部６及び誤り訂正部７に出力する。【００２８】
ＯＦＤＭ復調部６は、伝送モードＭＧを用いて同期処理などの各種復調処理を行い、同期の確立状態を示す同期確立信号ＬＣＫを生成し、伝送モード制御部５に出力する。ＯＦＤＭ復調部６は、例えば、同期が確立していない場合には同期確立信号ＬＣＫ＝０とし、同期が確立した場合には同期確立信号ＬＣＫ＝１とする。伝送モード推定部４による伝送モードの推定結果が誤っていれば同期は確立しないし、推定結果が正しければ同期が確立することが多い。なお、伝送モード推定部４は、同期が確立するまで、仮伝送モードＭＧＴの推定を繰り返し行うようにしてもよい。【００２９】
ここで同期確立信号ＬＣＫは、フレーム同期の確立状態を示す信号であってもよい。例えば日本の地上デジタルテレビジョン放送方式では、２０４個のＯＦＤＭシンボルを１フレームとするフレーム構造を採用しており、送信信号中の１６シンボルにわたってフレーム同期信号が挿入され、更にその信号の値が１フレーム毎に交番するようになっている。このため、ＯＦＤＭ復調部６がこのフレーム同期信号を検出し、同期確立信号ＬＣＫ＝１とするような場合には、その時点で復調処理に用いている伝送モードが受信信号の伝送モードに一致している可能性が高く、同期確立信号ＬＣＫの信頼性が高い。【００３０】
チャネル選択又は電源投入から時間が経過し、同期が確立した場合には、ＯＦＤＭ復調部６は、同期確立信号ＬＣＫの値を“０”から“１”に切り替える。同期確立信号ＬＣＫの値が“１”に切り替わった場合、伝送モード制御部５は、その時点の伝送モードＭＧの値を保持し、保持した値を伝送モードＭＧとしてＯＦＤＭ復調部６及び誤り訂正部７に出力する。ＯＦＤＭ復調部６及び誤り訂正部７は、伝送モードＭＧを用いて各種の復調処理、誤り訂正処理をそれぞれ行う。【００３１】
（II）受信信号の遮断中
ここでは、（I）と同様の動作を継続するものについては、説明を省略する。（I）の状態の後、アンテナ１で信号が受信できなくなった場合には、ＯＦＤＭ復調部６は、直交検波部３から適正な入力信号が得られなくなり、このことを検出して同期確立信号ＬＣＫ＝０とする。【００３２】
同期信号ＬＣＫの値が“０”に切り替わった場合でも、伝送モード制御部５は、保持していた伝送モードの値を伝送モードＭＧとして継続してＯＦＤＭ復調部６及び誤り訂正部７に出力する。したがって、この状態でＯＦＤＭ復調部６及び誤り訂正部７で用いられる伝送モードＭＧの値は、信号が遮断される直前に同期が確立した時点の伝送モードと同じ値である。ＯＦＤＭ復調部６及び誤り訂正部７は、伝送モード制御部５から供給される伝送モードＭＧの値を用いて引き続き各種の復調処理及び誤り訂正処理を行う。【００３３】
（III）信号が再び受信された状態
ここでは、（II）と同様の動作を継続するものについては、説明を省略する。受信しているチャネルの信号がトンネルなどで一時的に遮断されている間に、そのチャネルのＦＦＴモード及びガードインターバルが変わる可能性は非常に低いので、（II）以降で伝送モード制御部５から供給されている伝送モードＭＧとアンテナ１で再び受信された信号の伝送モードとは、一致すると考えてよい。したがって、アンテナ１で再び信号が受信された時点から、ＯＦＤＭ復調部６及び誤り訂正部７では、各種復調処理及び誤り訂正処理をそれぞれ適切に行うことが直ちに可能となる。【００３４】
以上のように、図１の受信装置は、受信信号の同期が確立したときのＦＦＴモード及びガードインターバルを保持し、保持したＦＦＴモード及びガードインターバルを用いた復調、誤り訂正を継続するので、受信していた電波が遮断されるような、受信装置への正常な信号の入力が中断される場合であっても、信号が再び受信された際に受信信号に基づいてＦＦＴモード及びガードインターバルを改めて検索して求めることなく、直ちに適切な復調、誤り訂正の処理が行える。このため、受信したデータの再生を高速に再開することが可能となる。更にこの受信装置によれば、チャネル毎のＦＦＴモード及びガードインターバル等を記憶することも不要となるので、構成が簡単であり、低コストで所期の目的を果たすことができる。【００３５】
（第２の実施形態）
図２は、本発明の第２の実施形態に係る受信装置の構成例を示すブロック図である。図２の受信装置は、優先伝送モード設定部１２を更に有し、伝送モード制御部５に代えて伝送モード制御部２０５を有する点が、図１の受信装置と異なっている。その他の構成要素は図１の受信装置と同様であるので、同一の参照番号を付してその説明を省略する。【００３６】
優先伝送モード設定部１２には、受信装置が受信する信号の伝送モードを検索する際に最も優先順位の高い伝送モードが予め設定され、優先伝送モード設定部１２は、設定された伝送モードを、優先的に用いるべきＦＦＴモードとガードインターバルとの組み合わせを示す優先伝送モードＭＧＰとして伝送モード制御部２０５に出力する。なお、優先伝送モードＭＧＰを、ユーザ又はＣＰＵからの指示に従って任意に変更可能としてもよい。【００３７】
伝送モード制御部２０５は、チャネル選択後又は電源投入後には、まず優先伝送モード設定部１２より供給される優先伝送モードＭＧＰを選択し、これをＯＦＤＭ復調部６及び誤り訂正部７に伝送モードＭＧとして出力する。その後所定の時間内に同期確立信号ＬＣＫが“１”とならなかった場合には、伝送モード制御部２０５は、伝送モード推定部４が供給する仮伝送モードＭＧＴを選択し、これをＯＦＤＭ復調部６及び誤り訂正部７に伝送モードＭＧとして供給する。更にその後所定の時間内に同期確立信号ＬＣＫが“１”とならなかった場合には、伝送モード制御部２０５は、優先伝送モード設定部１２より供給される優先伝送モードＭＧＰを再び選択する。【００３８】
以降、伝送モード制御部２０５は、同期確立信号ＬＣＫが“１”となるまで、同様に仮伝送モードＭＧＴと優先伝送モードＭＧＰとを交互に選択する動作を繰り返す。このように交互に選択する動作を繰り返す過程で同期確立信号ＬＣＫの値が“１”に切り替わった場合には、伝送モード制御部２０５は、その時点の伝送モードＭＧの値を伝送モードＭＧＭとして保持する。【００３９】
アンテナで受信していた電波が遮断されるような、受信装置への正常な信号の入力が中断される場合には、ＯＦＤＭ復調部６は、直交検波部３から適正な入力信号が得られなくなり、これを検出して同期確立信号ＬＣＫ＝０とする。このとき、伝送モード制御部２０５は、直前に同期確立信号ＬＣＫの値が“１”になった時点で伝送モードＭＧとして仮伝送モードＭＧＴが選択されていた場合と、優先伝送モードＭＧＰが選択されていた場合とで、異なる動作を行う。【００４０】
すなわち、直前に同期確立信号ＬＣＫの値が“１”になった時点で伝送モードＭＧとして仮伝送モードＭＧＴが選択されていた場合には、伝送モード制御部２０５は、保持していた伝送モードＭＧＭを、同期確立信号ＬＣＫ＝０となってから最初に伝送モードＭＧとして選択し出力する。その後所定の時間内に同期確立信号ＬＣＫが“１”とならなかった場合には、伝送モード制御部２０５は、仮伝送モードＭＧＴを伝送モードＭＧとして出力する。以降、伝送モード制御部２０５は、同期確立信号ＬＣＫが“１”となるまで、保持していた伝送モードＭＧＭと仮伝送モードＭＧＴとを交互に出力する動作を繰り返す。【００４１】
一方、直前に同期確立信号ＬＣＫの値が“１”になった時点で伝送モードＭＧとして仮優先伝送モードＭＧＰが選択されていた場合には、伝送モード制御部２０５は、仮伝送モードＭＧＴを、同期確立信号ＬＣＫ＝０となってから最初に伝送モードＭＧとして選択し出力する。その後所定の時間内に同期確立信号ＬＣＫが“１”とならなかった場合には、伝送モード制御部２０５は、保持していた伝送モードＭＧＭを伝送モードＭＧとして出力する。以降、伝送モード制御部２０５は、同期確立信号ＬＣＫが“１”となるまで、仮伝送モードＭＧＴと保持していた伝送モードＭＧＭとを交互に出力する動作を繰り返す。【００４２】
そして再び受信装置に信号が入力された際に、伝送モード制御部２０５が出力する伝送モードＭＧの値が受信信号の伝送モードと一致すると、同期確立信号ＬＣＫが“１”となり、適切なＯＦＤＭ復調及び誤り訂正がなされることになる。【００４３】
なお、同期確立信号ＬＣＫが“１”から“０”に変わった後に、伝送モード制御部２０５が、仮伝送モードＭＧＴを常に最初に伝送モードＭＧとして出力するようにしてもよい。このようにすることで、受信信号が異なる伝送モードに切り替わる（例えば、モード３からモード２に切り替わる）ことによって映像や音声が遮断される場合には、伝送モード推定部４での演算に基づく伝送モードの推定が早期に開始されるので、遮断された映像や音声の再生を高速に再開することができる。【００４４】
以上のように、図２の受信装置は、同期が確立したときの伝送モードを保持しておき、受信していた電波が遮断されるような、受信装置への正常な信号の入力が中断された後では、伝送モード推定部４で推定された伝送モードと、保持した伝送モードとから交互に選択した伝送モードを用いた復調、誤り訂正を継続する。このため、受信装置に再び正常な信号が入力された際には、受信信号の伝送モードと優先伝送モード設定部１２に予め設定された優先伝送モードとが異なる場合であっても、受信信号の伝送モードと伝送モード制御部２０５が出力する伝送モードとが一致する確率が高められるので、適切な復調、誤り訂正の処理やデータの再生を早期に再開することが、簡単な構成で可能となる。【００４５】
なお、第１及び第２の実施形態では、ＯＦＤＭ復調部６及び誤り訂正部７に伝送モードＭＧ、すなわち、ＦＦＴモード及びガードインターバルの両方を供給すると説明したが、各構成要素において必要とされる、ＦＦＴモード又はガードインターバルのいずれか一方のみを供給するようにしてもよい。この場合には、ＦＦＴモード又はガードインターバルを保持する記憶手段をいずれか一方のみとすることができるため、装置コストをより下げることができる。【００４６】
また、上記第１及び第２の実施形態では、伝送モード推定部４の具体例として、ＯＦＤＭ信号とこれを遅延させて得られる信号との間の相関を用いて推定した伝送モードを、仮伝送モードＭＧＴとして伝送モード制御部５，２０５に供給すると説明したが、伝送モードの推定方法はこれには限らず、この推定方法により本発明の本質的な技術的範囲は限定されない。【００４７】
例えば、伝送モード推定部４は、受信信号と受信信号を遅延させた信号との間の相関を求めることによって伝送モードを推定する代わりに、ＦＦＴモードとガードインターバルとの複数の組み合わせを所定の優先順序に従って格納したテーブルを記憶し、同期確立信号ＬＣＫが同期の確立を示すまで、このテーブルから組み合わせを順次読み出し、読み出された組み合わせを伝送モード制御部５，２０５に出力するようにしてもよい。この場合、テーブルにはＦＦＴモードとガードインターバルとの複数の組み合わせをチャネル毎に格納させる必要はない。相関を用いた伝送モードの推定方法では、その推定精度が外乱によって劣化する場合があるが、テーブルを用いることによってこの影響を排除し、伝送モードの推定精度を高くすることができる。【００４８】
また、第１の実施形態においてフレーム同期信号を検出する場合について説明したが、他の同期、すなわち、ＯＦＤＭシンボルの同期が確立したことや、キャリアの周波数同期が確立したことを、ＯＦＤＭ復調部６が検出し、これらの同期が確立したことを同期確立信号が示すようにしてもよい。【００４９】
また、第１及び第２の実施形態では、日本の地上デジタルテレビジョン放送を受信する装置を例として説明したが、伝送方式としてＯＦＤＭを用いるものであれば、欧州の地上デジタルテレビジョン放送方式であるＤＶＢ（Digital Video Broadcasting）−Ｔ，ＤＶＢ−Ｈや、無線ＬＡＮ（Local Area Network）など、他の無線通信メディアのための受信装置においても同様に本発明を実施することが可能である。
【産業上の利用可能性】
【００５０】
以上説明したように、本発明は、受信信号が一時的に遮断された場合に、受信データの再生を高速に再開することができるので、地上デジタルテレビジョン放送や無線ＬＡＮなどのための無線伝送されたＯＦＤＭ信号を受信する受信装置等について有用である。
【図１】
2008126379.tif 000003
【図２】
2008126379.tif 000004
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
ＯＦＤＭ（Orthogonal Frequency Division Multiplexing）信号を受信する受信装置であって、
ＦＦＴ（Fast Fourier Transform）モードとガードインターバルとの組み合わせである伝送モードに従って、受信信号に対して復調、及び同期の確立の検出を行い、得られた同期の確立の検出結果を示す同期確立信号を出力する復調部と、
前記同期確立信号が同期の確立を示しているときのＦＦＴモード及びガードインターバルを保持し、保持されたＦＦＴモードとガードインターバルとの組み合わせを前記復調部で用いられる伝送モードとして出力する伝送モード制御部と
を備えることを特徴とする受信装置。
【請求項２】
請求項１に記載の受信装置において、
前記受信信号と、前記受信信号が所定の時間遅延した信号との間の相関を求め、得られた相関に従って前記受信信号のＦＦＴモード及びガードインターバルを推定する伝送モード推定部を更に備え、
前記伝送モード制御部は、
チャネルの選択又は電源投入後、前記同期確立信号が同期の確立を示すまで、前記伝送モード推定部によって推定されたＦＦＴモードとガードインターバルとの組み合わせを前記復調部で用いられる伝送モードとして出力する
ことを特徴とする受信装置。
【請求項３】
請求項１に記載の受信装置において、
前記受信信号と、前記受信信号が所定の時間遅延した信号との間の相関を求め、得られた相関に従って前記受信信号のＦＦＴモード及びガードインターバルを推定する伝送モード推定部と、
優先的に用いるべきＦＦＴモードとガードインターバルとの組み合わせを出力する優先伝送モード設定部とを更に備え、
前記伝送モード制御部は、
チャネルの選択又は電源投入後、前記優先的に用いるべきＦＦＴモードとガードインターバルとの組み合わせを前記復調部で用いられる伝送モードとして出力し、前記同期確立信号が同期の確立を示すまで、前記伝送モード推定部によって推定されたＦＦＴモードとガードインターバルとの組み合わせと、前記優先的に用いるべきＦＦＴモードとガードインターバルとの組み合わせとを、所定の時間が経過する毎に交互に前記復調部で用いられる伝送モードとして出力する
ことを特徴とする受信装置。
【請求項４】
請求項３に記載の受信装置において、
前記伝送モード制御部は、
前記同期検出結果が同期の確立を一旦示した後に示さなくなった場合には、前記同期確立信号が同期の確立を示すまで、前記伝送モード推定部によって推定されたＦＦＴモードとガードインターバルとの組み合わせと、前記保持されたＦＦＴモードとガードインターバルとの組み合わせとを、所定の時間が経過する毎に交互に前記復調部で用いられる伝送モードとして出力する
ことを特徴とする受信装置。
【請求項５】
請求項１に記載の受信装置において、
前記復調部は、
フレーム同期を前記同期の確立の検出対象とする
ことを特徴とする受信装置。
【請求項６】
請求項１に記載の受信装置において、
前記同期確立信号が同期の確立を示すまで、ＦＦＴモードとガードインターバルとの複数の組み合わせを所定の優先順序に従って格納したテーブルから、前記組み合わせを順次読み出し、読み出された組み合わせを出力する伝送モード推定部を更に備え、
前記伝送モード制御部は、
チャネルの選択又は電源投入後、前記同期確立信号が同期の確立を示すまで、前記伝送モード推定部から出力されたＦＦＴモードとガードインターバルとの組み合わせを前記復調部で用いられる伝送モードとして出力する
ことを特徴とする受信装置。
【請求項７】
ＯＦＤＭ信号を受信する受信方法であって、
ＦＦＴモードとガードインターバルとの組み合わせである伝送モードに従って、受信信号に対して復調、及び同期の確立の検出を行い、得られた同期の確立の検出結果を示す同期確立信号を求める復調ステップと、
前記同期確立信号が同期の確立を示しているときのＦＦＴモード及びガードインターバルを保持し、保持されたＦＦＴモードとガードインターバルとの組み合わせを前記復調ステップで用いられる伝送モードとする伝送モード制御ステップと
を備えることを特徴とする受信方法。
【請求項８】
請求項７に記載の受信方法において、
前記受信信号と、前記受信信号が所定の時間遅延した信号との間の相関を求め、得られた相関に従って前記受信信号のＦＦＴモード及びガードインターバルを推定する伝送モード推定ステップを更に備え、
前記伝送モード制御ステップは、
チャネルの選択又は電源投入後、前記同期確立信号が同期の確立を示すまで、前記伝送モード推定ステップによって推定されたＦＦＴモードとガードインターバルとの組み合わせを前記復調ステップで用いられる伝送モードとする
ことを特徴とする受信方法。
【手続補正２】
【補正対象書類名】明細書
【補正対象項目名】全文
【補正方法】変更
【補正の内容】
【発明の詳細な説明】
【技術分野】
【０００１】
本発明は、ＯＦＤＭ（直交周波数分割多重：Orthogonal Frequency Division Multiplexing）伝送方式を用いて伝送された信号を受信する受信装置及び受信方法に関する。
【背景技術】
【０００２】
日本及び欧州での地上デジタルテレビジョン放送には、伝送方式としてＯＦＤＭが用いられている。例えば、日本における地上デジタルテレビジョン放送方式では、送信信号の有効シンボル長に対応するモード（ＦＦＴ（Fast Fourier Transform）モード）として、モード１（有効シンボル長：２５２μsec）、モード２（有効シンボル長：５０４μsec）、及びモード３（有効シンボル長：１００８μsec）が規定されている。また、マルチパス妨害の影響を軽減するために送信信号中にガード期間が設けられており、その長さ（ガードインターバル）として有効シンボル長の１／３２、１／１６、１／８、及び１／４が規定されている。送信側では、ＦＦＴモード及びガードインターバルを上記の中から選択可能であり、受信側では、ＦＦＴモード及びガードインターバルを自動的に検出できることが望まれている。
【０００３】
ＦＦＴモード及びガードインターバルを自動的に検出できるようにした受信装置の例が、特許文献１及び特許文献２に記載されている。特許文献１に記載の受信装置は、チャネル選択時にＦＦＴモードとガードインターバルとの複数の組み合わせの中から適切な組み合わせを検索する。すなわち、この受信装置は、これらの組み合わせから順次１組を選択し、選択された組み合わせを用いて受信信号のガード期間の部分について相関を求め、得られた相関信号の振幅が所定レベル以上となる場合に、用いられた組み合わせを受信信号のＦＦＴモード及びガードインターバルとして認識して復調処理を行う。
【０００４】
また、特許文献２に記載の受信装置は、チャネル毎にモード履歴情報を記憶しておき、この履歴情報を用いて、最後に選択されたチャネルのＦＦＴモード及びガードインターバルであることや、ＦＦＴモード及びガードインターバルの使用頻度に応じて、ＦＦＴモードとガードインターバルとの組み合わせに順位付けを行う。そして、この受信装置は、順位付けされた順に、ＦＦＴモード及びガードインターバルを順次切り替えて、受信信号のＦＦＴモード及びガードインターバルと一致するか否かの判定を行うことにより、受信チャネルを切り替えた際の受信信号のＦＦＴモード及びガードインターバルを推定する。
【特許文献１】特許第２８７９０３４号公報
【特許文献２】特開２００１−１３６１４６号公報
【発明の開示】
【発明が解決しようとする課題】
【０００５】
受信装置がトンネルなどを通過するときには受信信号が一時的に遮断され、トンネルなどを通過後には信号が再び受信される。例えば、特許文献１の受信装置は、自動車に搭載されてトンネルを通過するときなど、受信信号が一時的に遮断されるような状況では、ＦＦＴモード及びガードインターバルの検索動作を開始する可能性がある。この場合、この自動車がトンネルを出て再び信号が受信装置に入力されるようになった時点で選択されているＦＦＴモードとガードインターバルとの組み合わせが、受信信号のＦＦＴモードとガードインターバルとの組み合わせに一致していなければ、受信信号に対して適切な復調処理ができず、一致する組み合わせが選択されるまで復調処理が遅延することになる。これは、自動車がトンネルを出ても受信データの再生の再開が遅延する場合があることを意味している。
【０００６】
また、特許文献２の受信装置では、ＦＦＴモードとガードインターバルとの組み合わせ、更にはそれらの履歴情報を、チャネル毎に記憶する必要があり、これを行うためのメモリやその制御が必要となる。これは装置コストの増大や、制御用ソフトウエア等の設計負担の増大の原因となる。
【０００７】
本発明は、受信されていた信号が、一時的に遮断された後に再び入力される場合において、受信データの再生を高速に再開することを低コストで実現することを目的とする。
【課題を解決するための手段】
【０００８】
本発明に係る受信装置は、ＯＦＤＭ（Orthogonal Frequency Division Multiplexing）信号を受信する受信装置であって、復調部と、伝送モード制御部とを有する。前記復調部は、ＦＦＴ（Fast Fourier Transform）モードとガードインターバルとの組み合わせである伝送モードに従って、受信信号に対して復調、及び同期の確立の検出を行い、得られた同期の確立の検出結果を示す同期確立信号を出力する。前記伝送モード制御部は、前記同期確立信号が同期の確立を示しているときのＦＦＴモード及びガードインターバルを保持し、保持されたＦＦＴモードとガードインターバルとの組み合わせを前記復調部で用いられる伝送モードとして出力する。
【０００９】
これによると、ＦＦＴモード及びガードインターバルを保持して用いるので、受信信号が一時的に遮断された場合に、受信データの再生を高速に再開することができる。
【発明の効果】
【００１０】
本発明によれば、トンネルを通過する場合など、受信信号が一時的に遮断された後、再び入力される場合において、受信データの再生を高速に再開することができる。構成が簡単であるので、低コストで実現することができる。
【発明を実施するための最良の形態】
【００１１】
以下、本発明の実施形態を図面に基づいて詳細に説明する。
【００１２】
（第１の実施形態）
図１は、本発明の第１の実施形態に係る受信装置の構成例を示すブロック図である。図１の受信装置は、アンテナ１と、チューナ部２と、直交検波部３と、伝送モード推定部４と、伝送モード制御部５と、ＯＦＤＭ復調部６と、誤り訂正部７と、ソースデコーダ部８と、出力部９とを有している。
【００１３】
アンテナ１は、ＲＦ（Radio Frequency）帯のＯＦＤＭ信号を受信し、チューナ部２へ供給する。チューナ部２は、アンテナ１より供給されたＲＦ帯のＯＦＤＭ信号から所望のチャネルのＯＦＤＭ信号を選択及び周波数変換し、得られたＩＦ（Intermediate Frequency）帯のＯＦＤＭ信号を直交検波部３に出力する。直交検波部３は、ＩＦ帯のＯＦＤＭ信号に対して基底帯域への周波数変換を行い、得られたベースバンドのＯＦＤＭ信号を伝送モード推定部４及びＯＦＤＭ復調部６に出力する。
【００１４】
ところでＯＦＤＭ信号は、有効シンボル期間の最後の部分の信号が、有効シンボル期間の前にガード期間の信号としてコピーされて伝送されることが一般的である。
【００１５】
例えば日本の地上デジタルテレビジョン放送では、ＦＦＴモードとして３つのモード、ガードインターバルとして４つの値が規定されている。これらのＦＦＴモードの１つとこれらのガードインターバルの１つとが組み合わされて用いられる。以下では、ＦＦＴモードとガードインターバルとの組み合わせを、伝送モードとも称する。
【００１６】
伝送モード推定部４は、ベースバンドのＯＦＤＭ信号から、所定の信号処理を行ってＦＦＴモード及びガードインターバルを推定し、推定されたＦＦＴモードとガードインターバルとの組み合わせを、仮伝送モードＭＧＴとして伝送モード制御部５に出力する。ＦＦＴモードは、受信されたＯＦＤＭ信号の有効シンボル長に対応している。
【００１７】
伝送モード推定部４における伝送モードの推定方法としては、例えば日本国特許第２８６３７４７号公報又は日本国特開２００５−１９８２６６号公報に開示されているような信号処理に基づく方法を採用してもよい。これらの文献には、受信したＯＦＤＭ信号と受信したＯＦＤＭ信号を所定の有効シンボル長分だけ遅延した信号との間の相関値の算出結果に基づいて、受信したＯＦＤＭ信号の伝送モードを推定する技術が開示されている。
【００１８】
伝送モード制御部５は、仮伝送モードＭＧＴ及びＯＦＤＭ復調部６から出力される同期確立信号ＬＣＫの値に基づいて、伝送モードＭＧの制御を行う。伝送モード制御部５は、伝送モードＭＧをＯＦＤＭ復調部６及び誤り訂正部７に出力する。
【００１９】
ＯＦＤＭ復調部６は、直交検波部３から出力されたベースバンドのＯＦＤＭ信号に対して、伝送モードＭＧに従って、フーリエ変換、同期信号再生、等化などの各種復調処理を行い、その結果を復調信号として誤り訂正部７に出力する。また、ＯＦＤＭ復調部６は、同期の確立を検出し、得られた検出結果を同期の確立状態を示す同期確立信号ＬＣＫとして伝送モード制御部５に出力する。
【００２０】
誤り訂正部７は、ＯＦＤＭ復調部６から出力された復調信号に対して、伝送モードＭＧに従って、デマッピング、デインターリーブ、ビタビ復号、リードソロモン復号などの各種誤り訂正処理を行い、その結果をＴＳ（Transport Stream）信号としてソースデコーダ部８に出力する。
【００２１】
ソースデコーダ部８は、誤り訂正部７から供給されるＴＳ信号に対して、映像ストリームや音声ストリーム、更にはその他のデータストリームへの分離処理を行い、ストリームがＭＰＥＧなどで圧縮されている場合にはそれらの圧縮方式に対応する伸張処理を行う。ソースデコーダ部８は、得られたストリームを映像信号、音声信号及びその他のデータとして出力部９に出力する。
【００２２】
出力部９は、ディスプレイ及びスピーカーを有している。出力部９は、ソースデコーダ部８から出力された映像信号のディスプレイへの表示、音声信号のスピーカーへの出力、及びその他のデータの外部装置への出力、又はこれらのいずれかを行う。
【００２３】
以上のように構成された図１の受信装置の主要部の動作について説明する。この受信装置が自動車などに搭載され、この自動車がトンネルを通過する際などには、アンテナで受信する電波（受信信号）が遮断され、受信装置への正常な入力が一時的に中断されるような場合がある。このような状況における受信装置の動作について、（I）受信信号の遮断前、（II）受信信号の遮断中、及び（III）信号が再び受信された状態、の３つの状態に場合分けして説明する。
【００２４】
（I）受信信号の遮断前
アンテナ１で信号が受信されている状態でチャネル選択又は電源投入が行われると、チューナ部２、直交検波部３、及び伝送モード推定部４が上述のように動作し、伝送モード推定部４は、仮伝送モードＭＧＴを出力する。
【００２５】
伝送モード制御部５は、チャネル選択又は電源投入が行われた後、まだ同期確立に至っていないことを同期信号ＬＣＫが示している場合には、仮伝送モードＭＧＴの値を伝送モードＭＧとしてＯＦＤＭ復調部６及び誤り訂正部７に出力する。
【００２６】
ＯＦＤＭ復調部６は、伝送モードＭＧを用いて同期処理などの各種復調処理を行い、同期の確立状態を示す同期確立信号ＬＣＫを生成し、伝送モード制御部５に出力する。ＯＦＤＭ復調部６は、例えば、同期が確立していない場合には同期確立信号ＬＣＫ＝０とし、同期が確立した場合には同期確立信号ＬＣＫ＝１とする。伝送モード推定部４による伝送モードの推定結果が誤っていれば同期は確立しないし、推定結果が正しければ同期が確立することが多い。なお、伝送モード推定部４は、同期が確立するまで、仮伝送モードＭＧＴの推定を繰り返し行うようにしてもよい。
【００２７】
ここで同期確立信号ＬＣＫは、フレーム同期の確立状態を示す信号であってもよい。例えば日本の地上デジタルテレビジョン放送方式では、２０４個のＯＦＤＭシンボルを１フレームとするフレーム構造を採用しており、送信信号中の１６シンボルにわたってフレーム同期信号が挿入され、更にその信号の値が１フレーム毎に交番するようになっている。このため、ＯＦＤＭ復調部６がこのフレーム同期信号を検出し、同期確立信号ＬＣＫ＝１とするような場合には、その時点で復調処理に用いている伝送モードが受信信号の伝送モードに一致している可能性が高く、同期確立信号ＬＣＫの信頼性が高い。
【００２８】
チャネル選択又は電源投入から時間が経過し、同期が確立した場合には、ＯＦＤＭ復調部６は、同期確立信号ＬＣＫの値を“０”から“１”に切り替える。同期確立信号ＬＣＫの値が“１”に切り替わった場合、伝送モード制御部５は、その時点の伝送モードＭＧの値を保持し、保持した値を伝送モードＭＧとしてＯＦＤＭ復調部６及び誤り訂正部７に出力する。ＯＦＤＭ復調部６及び誤り訂正部７は、伝送モードＭＧを用いて各種の復調処理、誤り訂正処理をそれぞれ行う。
【００２９】
（II）受信信号の遮断中
ここでは、（I）と同様の動作を継続するものについては、説明を省略する。（I）の状態の後、アンテナ１で信号が受信できなくなった場合には、ＯＦＤＭ復調部６は、直交検波部３から適正な入力信号が得られなくなり、このことを検出して同期確立信号ＬＣＫ＝０とする。
【００３０】
同期信号ＬＣＫの値が“０”に切り替わった場合でも、伝送モード制御部５は、保持していた伝送モードの値を伝送モードＭＧとして継続してＯＦＤＭ復調部６及び誤り訂正部７に出力する。したがって、この状態でＯＦＤＭ復調部６及び誤り訂正部７で用いられる伝送モードＭＧの値は、信号が遮断される直前に同期が確立した時点の伝送モードと同じ値である。ＯＦＤＭ復調部６及び誤り訂正部７は、伝送モード制御部５から供給される伝送モードＭＧの値を用いて引き続き各種の復調処理及び誤り訂正処理を行う。
【００３１】
（III）信号が再び受信された状態
ここでは、（II）と同様の動作を継続するものについては、説明を省略する。受信しているチャネルの信号がトンネルなどで一時的に遮断されている間に、そのチャネルのＦＦＴモード及びガードインターバルが変わる可能性は非常に低いので、（II）以降で伝送モード制御部５から供給されている伝送モードＭＧとアンテナ１で再び受信された信号の伝送モードとは、一致すると考えてよい。したがって、アンテナ１で再び信号が受信された時点から、ＯＦＤＭ復調部６及び誤り訂正部７では、各種復調処理及び誤り訂正処理をそれぞれ適切に行うことが直ちに可能となる。
【００３２】
以上のように、図１の受信装置は、受信信号の同期が確立したときのＦＦＴモード及びガードインターバルを保持し、保持したＦＦＴモード及びガードインターバルを用いた復調、誤り訂正を継続するので、受信していた電波が遮断されるような、受信装置への正常な信号の入力が中断される場合であっても、信号が再び受信された際に受信信号に基づいてＦＦＴモード及びガードインターバルを改めて検索して求めることなく、直ちに適切な復調、誤り訂正の処理が行える。このため、受信したデータの再生を高速に再開することが可能となる。更にこの受信装置によれば、チャネル毎のＦＦＴモード及びガードインターバル等を記憶することも不要となるので、構成が簡単であり、低コストで所期の目的を果たすことができる。
【００３３】
（第２の実施形態）
図２は、本発明の第２の実施形態に係る受信装置の構成例を示すブロック図である。図２の受信装置は、優先伝送モード設定部１２を更に有し、伝送モード制御部５に代えて伝送モード制御部２０５を有する点が、図１の受信装置と異なっている。その他の構成要素は図１の受信装置と同様であるので、同一の参照番号を付してその説明を省略する。
【００３４】
優先伝送モード設定部１２には、受信装置が受信する信号の伝送モードを検索する際に最も優先順位の高い伝送モードが予め設定され、優先伝送モード設定部１２は、設定された伝送モードを、優先的に用いるべきＦＦＴモードとガードインターバルとの組み合わせを示す優先伝送モードＭＧＰとして伝送モード制御部２０５に出力する。なお、優先伝送モードＭＧＰを、ユーザ又はＣＰＵからの指示に従って任意に変更可能としてもよい。
【００３５】
伝送モード制御部２０５は、チャネル選択後又は電源投入後には、まず優先伝送モード設定部１２より供給される優先伝送モードＭＧＰを選択し、これをＯＦＤＭ復調部６及び誤り訂正部７に伝送モードＭＧとして出力する。その後所定の時間内に同期確立信号ＬＣＫが“１”とならなかった場合には、伝送モード制御部２０５は、伝送モード推定部４が供給する仮伝送モードＭＧＴを選択し、これをＯＦＤＭ復調部６及び誤り訂正部７に伝送モードＭＧとして供給する。更にその後所定の時間内に同期確立信号ＬＣＫが“１”とならなかった場合には、伝送モード制御部２０５は、優先伝送モード設定部１２より供給される優先伝送モードＭＧＰを再び選択する。
【００３６】
以降、伝送モード制御部２０５は、同期確立信号ＬＣＫが“１”となるまで、同様に仮伝送モードＭＧＴと優先伝送モードＭＧＰとを交互に選択する動作を繰り返す。このように交互に選択する動作を繰り返す過程で同期確立信号ＬＣＫの値が“１”に切り替わった場合には、伝送モード制御部２０５は、その時点の伝送モードＭＧの値を伝送モードＭＧＭとして保持する。
【００３７】
アンテナで受信していた電波が遮断されるような、受信装置への正常な信号の入力が中断される場合には、ＯＦＤＭ復調部６は、直交検波部３から適正な入力信号が得られなくなり、これを検出して同期確立信号ＬＣＫ＝０とする。このとき、伝送モード制御部２０５は、直前に同期確立信号ＬＣＫの値が“１”になった時点で伝送モードＭＧとして仮伝送モードＭＧＴが選択されていた場合と、優先伝送モードＭＧＰが選択されていた場合とで、異なる動作を行う。
【００３８】
すなわち、直前に同期確立信号ＬＣＫの値が“１”になった時点で伝送モードＭＧとして仮伝送モードＭＧＴが選択されていた場合には、伝送モード制御部２０５は、保持していた伝送モードＭＧＭを、同期確立信号ＬＣＫ＝０となってから最初に伝送モードＭＧとして選択し出力する。その後所定の時間内に同期確立信号ＬＣＫが“１”とならなかった場合には、伝送モード制御部２０５は、仮伝送モードＭＧＴを伝送モードＭＧとして出力する。以降、伝送モード制御部２０５は、同期確立信号ＬＣＫが“１”となるまで、保持していた伝送モードＭＧＭと仮伝送モードＭＧＴとを交互に出力する動作を繰り返す。
【００３９】
一方、直前に同期確立信号ＬＣＫの値が“１”になった時点で伝送モードＭＧとして仮優先伝送モードＭＧＰが選択されていた場合には、伝送モード制御部２０５は、仮伝送モードＭＧＴを、同期確立信号ＬＣＫ＝０となってから最初に伝送モードＭＧとして選択し出力する。その後所定の時間内に同期確立信号ＬＣＫが“１”とならなかった場合には、伝送モード制御部２０５は、保持していた伝送モードＭＧＭを伝送モードＭＧとして出力する。以降、伝送モード制御部２０５は、同期確立信号ＬＣＫが“１”となるまで、仮伝送モードＭＧＴと保持していた伝送モードＭＧＭとを交互に出力する動作を繰り返す。
【００４０】
そして再び受信装置に信号が入力された際に、伝送モード制御部２０５が出力する伝送モードＭＧの値が受信信号の伝送モードと一致すると、同期確立信号ＬＣＫが“１”となり、適切なＯＦＤＭ復調及び誤り訂正がなされることになる。
【００４１】
なお、同期確立信号ＬＣＫが“１”から“０”に変わった後に、伝送モード制御部２０５が、仮伝送モードＭＧＴを常に最初に伝送モードＭＧとして出力するようにしてもよい。このようにすることで、受信信号が異なる伝送モードに切り替わる（例えば、モード３からモード２に切り替わる）ことによって映像や音声が遮断される場合には、伝送モード推定部４での演算に基づく伝送モードの推定が早期に開始されるので、遮断された映像や音声の再生を高速に再開することができる。
【００４２】
以上のように、図２の受信装置は、同期が確立したときの伝送モードを保持しておき、受信していた電波が遮断されるような、受信装置への正常な信号の入力が中断された後では、伝送モード推定部４で推定された伝送モードと、保持した伝送モードとから交互に選択した伝送モードを用いた復調、誤り訂正を継続する。このため、受信装置に再び正常な信号が入力された際には、受信信号の伝送モードと優先伝送モード設定部１２に予め設定された優先伝送モードとが異なる場合であっても、受信信号の伝送モードと伝送モード制御部２０５が出力する伝送モードとが一致する確率が高められるので、適切な復調、誤り訂正の処理やデータの再生を早期に再開することが、簡単な構成で可能となる。
【００４３】
なお、第１及び第２の実施形態では、ＯＦＤＭ復調部６及び誤り訂正部７に伝送モードＭＧ、すなわち、ＦＦＴモード及びガードインターバルの両方を供給すると説明したが、各構成要素において必要とされる、ＦＦＴモード又はガードインターバルのいずれか一方のみを供給するようにしてもよい。この場合には、ＦＦＴモード又はガードインターバルを保持する記憶手段をいずれか一方のみとすることができるため、装置コストをより下げることができる。
【００４４】
また、上記第１及び第２の実施形態では、伝送モード推定部４の具体例として、ＯＦＤＭ信号とこれを遅延させて得られる信号との間の相関を用いて推定した伝送モードを、仮伝送モードＭＧＴとして伝送モード制御部５，２０５に供給すると説明したが、伝送モードの推定方法はこれには限らず、この推定方法により本発明の本質的な技術的範囲は限定されない。
【００４５】
例えば、伝送モード推定部４は、受信信号と受信信号を遅延させた信号との間の相関を求めることによって伝送モードを推定する代わりに、ＦＦＴモードとガードインターバルとの複数の組み合わせを所定の優先順序に従って格納したテーブルを記憶し、同期確立信号ＬＣＫが同期の確立を示すまで、このテーブルから組み合わせを順次読み出し、読み出された組み合わせを伝送モード制御部５，２０５に出力するようにしてもよい。この場合、テーブルにはＦＦＴモードとガードインターバルとの複数の組み合わせをチャネル毎に格納させる必要はない。相関を用いた伝送モードの推定方法では、その推定精度が外乱によって劣化する場合があるが、テーブルを用いることによってこの影響を排除し、伝送モードの推定精度を高くすることができる。
【００４６】
また、第１の実施形態においてフレーム同期信号を検出する場合について説明したが、他の同期、すなわち、ＯＦＤＭシンボルの同期が確立したことや、キャリアの周波数同期が確立したことを、ＯＦＤＭ復調部６が検出し、これらの同期が確立したことを同期確立信号が示すようにしてもよい。
【００４７】
また、第１及び第２の実施形態では、日本の地上デジタルテレビジョン放送を受信する装置を例として説明したが、伝送方式としてＯＦＤＭを用いるものであれば、欧州の地上デジタルテレビジョン放送方式であるＤＶＢ（Digital Video Broadcasting）−Ｔ，ＤＶＢ−Ｈや、無線ＬＡＮ（Local Area Network）など、他の無線通信メディアのための受信装置においても同様に本発明を実施することが可能である。
【産業上の利用可能性】
【００４８】
以上説明したように、本発明は、受信信号が一時的に遮断された場合に、受信データの再生を高速に再開することができるので、地上デジタルテレビジョン放送や無線ＬＡＮなどのための無線伝送されたＯＦＤＭ信号を受信する受信装置等について有用である。
【図面の簡単な説明】
【００４９】
【図１】本発明の第１の実施形態に係る受信装置の構成例を示すブロック図である。
【図２】本発明の第２の実施形態に係る受信装置の構成例を示すブロック図である。
【符号の説明】
【００５０】
４    伝送モード推定部
５，２０５  伝送モード制御部
６    ＯＦＤＭ復調部
１２  優先伝送モード設定部
【手続補正３】
【補正対象書類名】図面
【補正対象項目名】全図
【補正方法】変更
【補正の内容】
【図１】
2008126379.tif 000005
【図２】
2008126379.tif 000006
【国際調査報告】
2008126379.tif 000007
2008126379.tif 000008
2008126379.tif 000009